(57)【要約】      （修正有）【課題】打者が打球時の判断に応じて打球をコントロールできるバットスリーブを提供する。【解決手段】バットスリーブは、少なくとも積層する第一層１１と第二層１２とを有する弾性被覆体１を含む。第一層１１および第二層１２は、熱可塑性ポリウレタン、ポリウレタンまたは発泡熱可塑性ウレタンからなる。【選択図】図２
0003227649.tif 000002
【実用新案登録請求の範囲】
【請求項１】
少なくとも積層する第一層と第二層とを有する弾性被覆体を含むことを特徴とするバットスリーブ。
【請求項２】
前記第一層が、熱可塑性ポリウレタン、ポリウレタンまたは発泡熱可塑性ウレタンからなっていることを特徴とする請求項１に記載のバットスリーブ。
【請求項３】
前記第二層が、熱可塑性ポリウレタン、ポリウレタンまたは発泡熱可塑性ウレタンからなっていることを特徴とする請求項１に記載のバットスリーブ。
【請求項４】
前記第二層の材質が、前記第一層の材質と異なっていることを特徴とする請求項１に記載のバットスリーブ。
【請求項５】
前記第二層が、少なくとも１つのリブを有し、
前記第一層が、前記リブに積層することを特徴とする請求項１に記載のバットスリーブ。
【請求項６】
前記第一層の第一結合面が、凹溝を有し、前記第二層の第二結合面が、前記リブを有し、前記凹溝が、前記リブに位置を合わせることを特徴とする請求項５に記載のバットスリーブ。
【請求項７】
前記リブが、複数であり、前記リブが、間隔を取って配列され、前記弾性被覆体が相対する第一端と第二端を有し、且つ、前記リブが、前記第一端から前記第二端に向って延伸するように形成されていることを特徴とする請求項５に記載のバットスリーブ。
【請求項８】
前記第二層において第一層に相対する側のもう一つの側に結合する空気ばね層を含むことを特徴とする請求項１〜請求項７のいずれか１項に記載のバットスリーブ。
【請求項９】
打球部と請求項１〜請求項８のいずれか１項に記載のバットスリーブとを含み、前記バットスリーブが、少なくとも前記打球部を被覆することを特徴とするバット。
【請求項１０】
前記バットにおいて相対する両端の間に結合領域を有し、前記バットスリーブが、前記結合領域に結合されていることを特徴とする請求項９に記載のバット。
【考案の詳細な説明】
【技術分野】
【０００１】
本考案は、バットスリーブ及びバットに関するもので、特に、複数層の構造を有するバットスリーブ及びバットに関するものである。
【背景技術】
【０００２】
一般的には、野球用又はソフトボール用バットは、木製、チタニウム合金やアルミニウム合金等の金属製のバットであるため、打球時の変化が少ないという問題があった。
よって、打球時の変化を有するため、バットの打球部に被覆し、弾性被覆体からなるバットスリーブがよく使われていた。
【先行技術文献】
【特許文献】
【０００３】
【特許文献１】特許３６０７２５７号
【考案の概要】
【考案が解決しようとする課題】
【０００４】
しかしながら、従来のバットスリーブは、単一の材料からなり、単一の密度や硬度しかを有していないため、異なる密度や硬度を有する構造を形成することができず、打者が、ピッチャ―の投球に対して長打、短打またはバントを決めようとしても、打球時のコントロールがうまく出来なかった。
上述した課題に鑑みて、従来のバットスリーブ及びバットは、確実に改良する必要がある。
【０００５】
本考案は、上記の課題を解決するために、打者が打球時の判断に応じて打球時のコントロールがうまくできるバットスリーブを提供することを目的とする。
【０００６】
本考案のもう一つの目的は、打者が打球時の判断に応じて優れた打球感を発揮することができるバットを提供する。
【０００７】
本考案において、「前」、「後」、「左」、「右」、「上（頂）」、「下（底）」、「内」、「外」、「側面」等の方向に関する用語は、図面の方向を参照するものであり、上記の各方向に関する用語は、本考案の各実施例を説明する或いは理解できるように用いられるものであり、本考案を限定するものではない。
【０００８】
本考案における部分或いは構造において、使用された「一」或いは「一個」等の助数詞は、都合のために使用し、本考案の実用新案登録請求の範囲について通常の意義を与えるもので、本考案において一個または少なくとも一個を解釈すべき、且つ、明確に別の意味を指していないかぎり、一つである意味は、複数の場合も含まれている。
【０００９】
本考案において、「結合」、「合成」、「組み立て」、「前」等の近似用語は、連接しても破壊せずに分離することができ、或いは、連接して分離することが不可能という形を含み、当業者には、連接しようとする部分の材質または組み立ての形により選択することができるものを指す。
【課題を解決するための手段】
【００１０】
本考案のバットスリーブにおいて、少なくとも積層する第一層と第二層とを有する弾性被覆体を含む。
【００１１】
本考案のバットにおいて、打球部と少なくとも前記打球部を被覆し、バットの表面に結合するバットスリーブを含む。
【００１２】
よって、本考案のバットスリーブ及びバットは、弾性被覆体が少なくとも二層構造を有し、二層構造は、異なる密度や硬度をそれぞれに形成し、弾性被覆体がバットに結合することによって、異なる打球性能や効果を提供し、打者が優れた打球感を発揮することができる効果を有する。
【００１３】
また、第一層は、熱可塑性ポリウレタン、ポリウレタンまたは発泡熱可塑性ウレタンからなる。
よって、バットの異なる打球性能や効果を形成するために、打者が打球部の密度や硬度を選択的に変更しやすい効果を有する。
【００１４】
また、第二層は、熱可塑性ポリウレタン、ポリウレタンまたは発泡熱可塑性ウレタンからなる。
よって、バットの異なる打球性能や効果を形成するために、打者が打球部の密度や硬度を選択的に変更しやすい効果を有する。
【００１５】
また、第二層の材質は、第一層の材質と異なっている。
よって、弾性被覆体が異なる密度や硬度を形成する多層構造により、打球時の変化を形成し、打者が優れた打球感を発揮することができる効果を有する。
【００１６】
また、第二層は、少なくとも１つのリブを有し、第一層がリブに積層する。
よって、第一層と第二層との結合面積を増加し、第一層と第二層との結合安定性を向上させる効果を有する。
【００１７】
また、第一層の第一結合面は、凹溝を有し、第二層の第二結合面は、リブを有し、前記凹溝がリブに位置を合わせる。
よって、第一層と第二層との結合面積を増加し、第一層と第二層との結合安定性を向上させる効果を有する。
【００１８】
また、前記リブは、複数であり、リブが間隔を取って配列され、弾性被覆体が相対する第一端と第二端を有し、且つ、リブが第一端から第二端に向って延伸するように形成される。
よって、第一層と第二層との結合安定性を向上させる効果を有する。
【００１９】
また、空気ばね層を含み、空気ばね層は、第二層において第一層に相対する側のもう一つの側に結合する。
よって、弾性及び柔軟性を提供させ、打球性能や効果を変化することができる効果を有する。
【００２０】
また、バットにおいて相対する両端の間に結合領域を有し、バットスリーブは、結合領域に結合される。
よって、結合領域の深さは、弾性被覆体の内表面と外表面の間の垂直方向の厚さと同じにすることで、弾性被覆体が結合領域に結合されたとき、バットの表面は、段差を引き起こされず、バットの見た目を良くし、段差による打撃への影響を避ける効果を有する。
【図面の簡単な説明】
【００２１】
【図１】図１は、本考案の第一実施例の斜視図。
【図２】図２は、図１のＡ−Ａ線による断面図。
【図３】図３は、図２のＢ−Ｂ線による断面図。
【考案を実施するための形態】
【００２２】
本考案の一実施形態について、以下、図面を参照して説明する。
図１、図２、図３に示すように、本考案のバットスリーブの実施例であり、本考案のバットスリーブは、弾性被覆体１を含み、弾性被覆体１が少なくとも積層する第一層１１と第二層１２とを有する。
【００２３】
弾性被覆体１は、バットの表面に結合するのに用いられ、弾性被覆体１がスリーブ状であることが好ましい。
例えば、弾性被覆体１をバットの表面に巻き付けて接着することにより、スリーブを形成することができ、或いは、弾性被覆体１は、円筒であって、バットの表面に結合されるようにバットの一端から嵌めて環装してもよく、本考案では制限しない。
本実施形態において、弾性被覆体１は、相対する第一端部１ａと第二端部１ｂを有し、第一端部１ａから第二端部１ｂまでの長さは、６０〜４５０ｍｍであることが好ましく、第一端部１ａ及び第二端部１ｂは、それぞれ開口を有することで、弾性被覆体１をバットに環装することができる。
【００２４】
弾性被覆体１の第一層１１は、バットの表面から比較的に離れていてもよく、即ち、第一層１１が弾性被覆体１の外側に形成されることができる。
本実施形態において、第一層１１は、打球するための表面層であって弾性被覆体１の外表面に露出するものであり、好ましくは、第一層１１の厚さは、１〜１０ｍｍであり、且つ、第一端部１ａと第二端部１ｂとの間に延在して形成される。
詳しく言うと、第一層１１は、発泡材料を発泡させることで、所定の硬度または密度を有するように形成させることができ、このように、打球時の変化性を提供し、打者の打撃能力を向上させることができる。
例を挙げると、第一層１１の材料は、熱可塑性ポリウレタン（ＴＰＵ，Ｔｈｅｒｍｏｐｌａｓｔｉｃ  ｐｏｌｙｕｒｅｔｈａｎｅｓ）、ポリウレタン（ＰＵ，Ｐｏｌｙｕｒｅｔｈａｎｅｓ）または発泡熱可塑性ウレタン（Ｅ−ＴＰＵ，Ｅｘｐａｎｄｅｄ  ｔｈｅｒｍｏｐｌａｓｔｉｃ  ｐｏｌｙｕｒｅｔｈａｎｅ）からなり、これによって、打者が打球部の密度や硬度を選択的に変更しやすく、異なる打撃性能や打撃効果を生み出すことができる。
【００２５】
第二層１２は、バットの表面に比較的近づいてもよく、即ち、第二層１２が弾性被覆体１の内側に形成されることができる。
好ましくは、第二層１２の厚さは、１〜１０ｍｍであり、且つ、第二層１２と第一層１１を積層させることで弾性被覆体１が少なくとも二層構造となる。
例えば、弾性被覆体１において第一端部１ａから第二端部１ｂまでが二層構造となるように、第二層１２は、第一端部１ａと第二端部１ｂまでに延在する。
或いは、第二層１２は、第一層１１と部分的に重なっていてもよく、即ち、弾性被覆体１の第一端部１ａおよび第二端部１ｂまで延在せずに、第一層１１が第二層１２を包囲することができる。
このように、弾性被覆体１の二層構造をバットの打球部のみに位置させることで、コストを節約する効果を有することができる。
詳しく言うと、第二層１２の材質は、第一層１１と同じ材質または異なる材質からなってもよく、即ち、第二層１２は、同じく発泡材料を発泡させることで、所定の硬度または密度を有することができ、例えば、第二層１２は、第一層１１と同じ発泡材料で異なる程度に発泡させることができ、または、第一層１１と異なる材質の発泡材料にすることができ、よって、弾性被覆体１は、硬度や密度が異なる多層構造を有しており、これにより、打球時の変化性を提供し、打者の打撃能力を向上させることができる。
例えば、第二層１２の材料は、熱可塑性ポリウレタン（ＴＰＵ，Ｔｈｅｒｍｏｐｌａｓｔｉｃ  ｐｏｌｙｕｒｅｔｈａｎｅｓ）、ポリウレタン（ＰＵ，Ｐｏｌｙｕｒｅｔｈａｎｅｓ）または発泡熱可塑性ウレタン（Ｅ−ＴＰＵ，Ｅｘｐａｎｄｅｄ  ｔｈｅｒｍｏｐｌａｓｔｉｃ  ｐｏｌｙｕｒｅｔｈａｎｅ）からなり、よって、打者が打球部の密度や硬度を選択的に変更しやすく、異なる打撃性能や打撃効果を生み出すことができる。
【００２６】
注意すべきは、第二層１２は、少なくとも１つのリブ１２１を有し、第一層１１がリブ１２１に積層されていてもよく、詳しく言うと、第一層１１の第一結合面１１ａは、凹溝１１１を有し、第二層１２の第二結合面１２ａは、リブ１２１を有し、凹溝１１１がリブ１２１に位置を合わせる。
よって、第一層１１が第二層１２に積層する場合、凹溝１１１とリブ１２１とが凹部と凸部の結合を形成することにより、第一層１１と第二層１２との結合面積を増加することができ、第一層１１と第二層１２との結合安定性を向上させる効果を有する。
本実施形態において、リブ１２１は、複数であり、複数のリブ１２１が間隔を取って配列され、且つ、リブ１２１が第一端１１から第二端１２に向って延在するように形成され、よって、さらに第一層１１と第二層１２との結合安定性を向上させる効果を有する。
【００２７】
図１と図２に示すように、前述の構造により、弾性被覆体１をバット２の表面に結合することができる。
バット２は、製造の都合のため、金属、炭素繊維、またはガラス繊維で製造することができ、本考案では制限しない。
弾性被覆体１は、相対する握持部２１及び打球部２２を有することができ、握持部２１は打者がバットを握持して振るために用いられ、そして打球部２２で球を打つ。
打球部２２の直径が握持部２１の直径より大きいことが好ましく、これにより、バット２の重心を打球部２２に偏在させ、打者が加速度によりバット２を振って球を打つために役に立つことができる。
弾性被覆体１は、打球部２２に結合し第二層１２を打球部２２に位置を合わせることができ、よって、打者が打球部２２で球を打つとき、弾性被覆体１の二層構造で打撃性能を向上させ、異なる打撃効果を生み出すことができる。
本実施形態において、バット２の両端の間に弾性被覆体１を結合するための結合領域２３を有し、結合領域２３は、環状槽であっても良く、バット２の表面を取り囲むように形成することができ、かつ、結合領域２３の深さは、弾性被覆体１の内表面と外表面の間の垂直方向の厚さと同じにすることで、弾性被覆体１が結合領域２３に結合されたとき、バット２の表面に段差が生じることなく、バット２の見た目を良くし、段差による打撃への影響を避ける効果を有する。
【００２８】
図２と図３に示すように、本考案のバットスリーブは、空気ばね層３を含み、空気ばね層３は、前記第二層１２において第一層１１に相対する側のもう一つの側に結合することができ、即ち、第二層１２を第一層１１と空気ばね層３との間に位置させてもよく、或いは、第二層１２を第一層１１と空気ばね層３で包囲してもよい。
空気ばね層３は、ＴＰＵからなるエアクッション構造であり、例えば、従来の重合体からなる外壁を有し、内部に窒素または空気が充填された構造であってもよく、当業者には理解できるものである。
よって、弾性及び柔軟性を提供し、打球性能や効果を変化させることができる効果を有する。
【００２９】
総合すると、本考案のバットスリーブ及びバットは、弾性被覆体が少なくとも二層構造を有し、前記二層構造は、異なる密度や硬度を有し、弾性被覆体がバットに結合することによって、異なる打球性能や効果を提供し、打者が優れた打球感を発揮することができる効果を有する。
本考案は、その精神と必須の特徴事項から逸脱することなく、他のやり方で実施することができる。
従って、本明細書に記載した実施形態は、例示的なものであり、本考案の範囲を限定するものではない。
【符号の説明】
【００３０】
１    ・・・弾性被覆体
１ａ  ・・・第一端部
１ｂ  ・・・第二端部
１１  ・・・第一層
１１ａ・・・第一結合面
１１１・・・凹溝
１２  ・・・第二層
１２ａ・・・第二結合面
１２１・・・リブ
２    ・・・バット
２１  ・・・握持部
２２  ・・・打球部
２３  ・・・結合領域
３    ・・・空気ばね層
【図１】
0003227649.tif 000003
【図２】
0003227649.tif 000004
【図３】
0003227649.tif 000005